(57)【要約】【課題】使用者に不快感を与えることなく安全に使用でき、且つ水枕に対する取り付け、取り外しを容易に行うことができる新規な水枕用締付具を提供する。【解決手段】上下の締付片１，２と係止片３が合成樹脂で成形された新規な締付具である為、水枕Ｂへの装着状態において使用者に不快感を与えるような虞れがなく、また、上側締付片１の被係合面６と係止片３の係合凸部７との弾性係合により、水枕Ｂへの取り付け、取り外しを小さな力で容易に行うことができる。注排水口Ｂ１は下側締付片２の凹溝８と上側締付片１の突条９の間で断面略Ｕ字形に湾曲し、その外側が下側凸条１１と受け縁１３で水密状に締め付けられるので、小さな力で確実に注排水口Ｂ１を締め付けることができる。【選択図】  図１
2005255180.tif 000002
【特許請求の範囲】
【請求項１】
一端部同士を回動自在に枢着した上下の締付片と、前記下側の締付片の他端部に回動自在に枢着した係止片を備え、該係止片を前記上側の締付片の他端部に係止させて、前記上下の締付片の間に狭入された水枕の注排水口の締め付け状態を保持する水枕用締付具であって、
前記上下の締付片と係止片を合成樹脂製とし、前記上側の締付片の他端部に膨出状の湾曲面からなる被係合面を設け、前記係止片には膨出状の湾曲面からなる係合凸部を設け、前記係止片の回動により前記係合凸部と前記被係合面が係脱自在に摺接係合して、前記上側の締付片の他端部に前記係止片が係止されるよう形成したことを特徴とする合成樹脂製の水枕用締付具。
【請求項２】
前記下側の締付片は断面凹形に形成してその上面側に該締付片の長手方向に沿う凹溝を備え、前記上側の締付片は前記凹溝に遊嵌する突条を下面側に備えるよう断面凸形とし、且つ前記凹溝の左右両側の立壁部の上端には、前記上側の締付片における前記突条の左右両側に設けた受け縁と相対向する下側凸条を形成して、前記上下の締付片の間に狭入された水枕の注排水口が、前記突条と凹溝の間で断面略Ｕ字形に湾曲すると共に、該湾曲部分の外側を、前記下側凸条と受け縁により水密状に締め付けるよう形成したことを特徴とする請求項１記載の合成樹脂製の水枕用締付具。
【請求項３】
前記下側凸条を、前記左右の立壁部の上端における内縁部分に形成すると共に、該左右の立壁部の上端における外縁部分は前記内縁部分より低くなるよう形成し、前記下側凸条と受け縁で締め付けられる前記注排水口部分が、前記突条と凹溝の間での湾曲形状と逆方向に湾曲するよう形成したことを特徴とする請求項２記載の合成樹脂製の水枕用締付具。
【請求項４】
前記上側の締付片の被係合部と、前記係止片の係合部とが係合した際に、前記係止片の先端が上側の締付片に当たって該係合の完了を認識し得る音が発生するよう形成したことを特徴とする請求項１〜３のいずれかに記載の合成樹脂製の水枕用締付具。
【請求項５】
前記上側の締付片の上面部における前記係止片が係止する領域を外れた箇所に指載せ部を備えたことを特徴とする請求項１〜４のいずれかに記載の合成樹脂製の水枕用締付具。
【請求項６】
前記上下の締付片の開き角度を９０度以内に規制するストッパーを備えたことを特徴とする請求項１〜５のいずれかに記載の合成樹脂製の水枕用締付具。
【請求項７】
前記上側の締付片が、前記係止片の係止状態を維持する摺動カバーを一体的に備えたことを特徴とする請求項１〜６のいずれかに記載の合成樹脂製の水枕用締付具。
【発明の詳細な説明】
【技術分野】
【０００１】
本発明は、水枕の注排水口を開閉自在に締める締付具に関し、詳しくは、使用時の安全性を考慮した合成樹脂製の水枕用締付具に関する。
【背景技術】
【０００２】
水枕の注排水口を開閉自在に締める締付具として、例えば特許文献１に記載されるような金属製の締付具が従来から知られている。
この金属製締付具１００は、図７、図８に示すように、上下の締付片１０１，１０２の一端部を回動自在に枢着すると共に、上側の締付片１０１の他端部に掛合円板１０３を設け、下側の締付片１０２の他端部にその掛合円板１０３に掛合する掛止片１０４を回動自在に枢着し、上下の締付片１０１，１０２で水枕の注排水口を挟んだ後、掛止片１０４を掛合円板１０３に掛合するよう回動させて上側の締付片１０１に掛止し、上下の締付片１０１，１０２の間に狭入された水枕Ｂの注排水口Ｂ１を締め付けるようになっている。
【０００３】
このような従来の締付具は、水枕使用時に金属製品が枕の頸部位置で露出するので、使用者の頭部が接触すると使用者に不快感を与える虞れがある。このような不具合を解消するため、例えば特許文献２には、水枕に装着した金属製締付具を覆う合成樹脂製の締付具カバーが提案されている。
【０００４】
【特許文献１】実公昭４４−２０３８３号公報
【特許文献２】実開昭５６−１５５８１９号公報
【発明の開示】
【発明が解決しようとする課題】
【０００５】
しかし、上記した手段によれば、金属製締付具を水枕に装着した後、さらにその外側から合成樹脂製カバーを装着しなければならないので手間がかかるばかりか、締付具とカバーの双方を用意しなければならないのでコスト高になるという問題がある。
また、従来の金属製締付具１００は、金属製の掛止片１０４を上側の締付片１０１上に重なるよう回動させ、掛止片下面の湾曲部１０５が、上側の締付片１０１の上面に回動自在に枢着された金属製の掛合円板１０３を乗り越えることで、掛止片１０４が上側の締付片１０１に掛止されるようになっており、その際、金属薄板製の円板１０３の回転摩擦、該円板１０３の外縁１０３ａと金属面である前記湾曲部１０５との摺動摩擦が関与することに加え、図８に示すように、上下の締付片１０１，１０２による注排水口Ｂ１の締付代が大きいので、掛止片１０４の係脱操作に相当の力が必要であり、水枕に対する締付具の取り付け、取り外しが面倒であるばかりか、掛止片１０４に指を挟んだり掛合円板１０３により指を切るような虞れもあった。
【０００６】
本発明はこのような従来事情に鑑みてなされたもので、その目的とする処は、使用者に不快感を与えることなく安全に使用でき、且つ水枕に対する取り付け、取り外しを容易に行うことができ、安全性にも優れた新規な水枕用締付具を提供することにある。
【課題を解決するための手段】
【０００７】
以上の目的を達成するために本発明の請求項１では、一端部同士を回動自在に枢着した上下の締付片と、前記下側の締付片の他端部に回動自在に枢着した係止片を備え、該係止片を前記上側の締付片の他端部に係止させて、前記上下の締付片の間に狭入された水枕の注排水口の締め付け状態を保持する水枕用締付具であって、
前記上下の締付片と係止片を合成樹脂製とし、前記上側の締付片の他端部に膨出状の湾曲面からなる被係合面を設け、前記係止片には膨出状の湾曲面からなる係合凸部を設け、前記係止片の回動により前記係合凸部と前記被係合面が係脱自在に摺接係合して、前記上側の締付片の他端部に前記係止片が係止されるよう形成したことを特徴とする。
【０００８】
請求項２では、前記下側の締付片は断面凹形に形成してその上面側に該締付片の長手方向に沿う凹溝を備え、前記上側の締付片は前記凹溝に遊嵌する突条を下面側に備えるよう断面凸形とし、且つ前記凹溝の左右両側の立壁部の上端には、前記上側の締付片における前記突条の左右両側に設けた受け縁と相対向する下側凸条を形成して、前記上下の締付片の間に狭入された水枕の注排水口が、前記突条と凹溝の間で断面略Ｕ字形に湾曲すると共に、該湾曲部分の外側を、前記下側凸条と受け縁により水密状に締め付けるよう形成したことを特徴とする。
【０００９】
請求項３では、前記下側凸条を、前記左右の立壁部の上端における内縁部分に形成すると共に、該左右の立壁部の上端における外縁部分は前記内縁部分より低くなるよう形成し、前記下側凸条と受け縁で締め付けられる前記注排水口部分が、前記突条と凹溝の間での湾曲形状と逆方向に湾曲するよう形成したことを特徴とする。
【００１０】
請求項４では、前記上側の締付片の被係合面と、前記係止片の係合凸部とが係合した際に、前記係止片の先端が上側の締付片に当たって該係合の完了を認識し得る音が発生するよう形成したことを特徴とする。
【００１１】
請求項５では、前記上側の締付片の上面部における前記係止片が係止する領域を外れた箇所に指載せ部を備えたことを特徴とする。
【００１２】
請求項６では、前記上下の締付片の開き角度を９０度以内に規制するストッパーを備えたことを特徴とする。
【００１３】
請求項７では、前記上側の締付片が、前記係止片の係止状態を維持する摺動カバーを一体的に備えたことを特徴とする。
【発明の効果】
【００１４】
本発明の請求項１によれば、全体が合成樹脂からなる新規な水枕用締付具である為、水枕への装着状態において使用者に不快感を与えるような虞れがない。また、合成樹脂製の上側締付片における膨出状湾曲面からなる被係合面と、合成樹脂製の係止片における膨出状湾曲面からなる係合凸部との摺接係合により係止片を係脱させるので、従来の金属製締付具に比べ、小さな力で容易に水枕への取り付け、取り外しを行うことができる。また、前記したように取り付け、取り外しを容易に行い得ることに加え、各構成要素が合成樹脂製であるため指を切るような虞れもなく、安全性にも優れるなど、多くの効果を奏する。
【００１５】
請求項２では、上下の締付片間に狭入された水枕の注排水口を、下側締付片の凹溝と上側締付片の突条間で断面略Ｕ字形に湾曲させると共に、該湾曲部分の外側を、下側締付片の下側凸条と上側締付片の受け縁により、小さな締付代をもって水密状に締め付けるので、水枕の弾性（反発力）を有効に利用しながらより小さい力で確実に注排水口を締め付けて、前述の効果をより実効あるものとし得る。
【００１６】
請求項３では、上下の締付片間に狭入された水枕の注排水口を、前記凹溝と突条間で断面略Ｕ字形に湾曲させると共に、該湾曲部分の外側を逆方向へ湾曲させながら、下側締付片の下側凸条と上側締付片の受け縁により、小さな締付代をもって水密状に締め付けるので、水枕の弾性（反発力）をより有効に利用しながら小さい力でより確実に注排水口を締め付けることができる。よって、水枕に対して簡単に取り付け、取り外しができ、且つ水の漏出を確実に防止することができる商品価値の高い合成樹脂製水枕用締付具を提供し得た。
【００１７】
請求項４では、上側締付片の被係合面と係止片の係合凸部が係合した際に音を発生して、使用者に、上下の締付片の間に狭入された水枕の注排水口の締め付けの完了を認識させることができる。
【００１８】
請求項５では、上側の締付片の指載せ部に指を当てることで、係止片に指を挟むような虞れなく、水枕の注排水口の締め付け作業を安全に行うことができる。
【００１９】
請求項６では、上下の締付片の開き角度が一定範囲内に制限されるので、上下の締付片の間に水枕の注排水口を狭入する作業が片手でも行えるようになり、使い勝手の良い締付具として提供することができる。
【００２０】
請求項７では、上側締付片に係止した係止片の係止状態を維持する摺動カバーを備えるので、使用時において係止片が不用意に外れることを防止して、合成樹脂製でありながら従来の金属製締付具と同等若しくはそれ以上の信頼性を備えた新規な水枕用締付具を提供し得た。
【発明を実施するための最良の形態】
【００２１】
以下、本発明に係る水枕用締付具の実施形態の例を図面を参照して説明する。
図１〜図５に示す水枕用締付具Ａは、上下の締付片１，２と係止片３を所望の合成樹脂で一体成形したもので、上下の締付片１，２は軸４により一端同士を回動自在に枢着されており、係止片３は軸５により下側の締付片２の他端部（遊端部）に回動自在に枢着されている。
上下の締付片１，２、係止片３の具体的材質としては、プラスチック、硬質ゴムなどから選ばれる。強度、破断エネルギーが高い、所謂強靭なエンジニアリングプラスチックが使用可能である。より具体的には、ポリアミド、ポリアセタール、ポリカーボネート、ポリブチレンテレフタレートなどを挙げることができる。これら材質の中でも、ポリアセタールは、表面部分の摺動摩擦係数が小さく、後述する被係合面６と係合凸部７の摺接係合の面から好適に用いることができる。
【００２２】
上側締付片１の他端部（遊端部）の上面には、膨出状の湾曲面からなる被係合面６が形成されており、係止片３の下面には、その被係合面６に摺接係合する膨出状の湾曲面からなる係合凸部７が形成されており、その係合凸部７が被係合面６に摺接しながら特定の位置６ａに対し弾性係合することで、上側締付片１の他端部上に係止片３が係止され、上下の締付片１，２の間に狭入された水枕Ｂの注排水口Ｂ１の締め付け状態を保持するようになっている。
また、前記被係合面６と係合凸部７を膨出状の湾曲面とすることで、被係合面６と係合凸部７の摺接がスムーズに行われ、上側締付片１に対する係止片３の係止とその解除のための係止片３の回動操作を小さな力で容易に行えるようになっている。
また、上側締付片１上に係止片３が係止された際（係合凸部７と被係合面６が弾性係合した際）に、係止片３の先端部分の下面３ａが上側締付片１に当たって「カチ」という音を発生し、注排水口Ｂ１の締め付けが完了したことを使用者に認識させるよう形成されている。
【００２３】
下側締付片２は断面凹形に成形してその上面側に該締付片２の長手方向に沿う凹溝８を形成し、上側締付片１はその凹溝８に遊嵌する突条９を備えるよう断面凸形に成形し、前記凹溝８と突条９の間で前記注排水口Ｂ１が断面略Ｕ字形に湾曲するようになっている。
【００２４】
また、前記凹溝８の左右両側の立壁部１０，１０の上端には、その内縁部分に下側凸条１１が形成され、外縁部分にその下側凸条１１よりも低くなるよう外側凸条１２が形成されると共に、前記突条９の左右両側には前記下側凸条１１と相対向する受け縁１３が形成されている。これにより、前記凹溝８と突条９の間で前記注排水口Ｂ１が断面略Ｕ字形に湾曲すると共に、該湾曲部分の外側が、前記下側凸条１１と受け縁１３の間で逆方向に湾曲し、且つ下側凸条１１と受け縁１３により小さい締付代をもって水密状に締め付けることで、上下の締付片１，２の間に狭入された水枕Ｂの注排水口Ｂ１の締め付けが、水枕Ｂの弾性（反発力）を有効に利用して小さい力で確実になされるようになっている。
【００２５】
また、左右の立壁部１０，１０における下側凸条１１と外側凸条１２との間、及び突条９の幅方向中心部分には、上下の締付片１，２の長さ方向に沿う長孔状の開口（樹脂抜き部）１４，１５が所定間隔毎に形成されており、これにより、前記注排水口Ｂ１を締め付けた際の締付荷重に対する強度，耐久性を向上させ、合成樹脂製でありながら従来の金属製締付具と同等若しくはそれ以上の強度，耐久性を具備し得るようになっている。
【００２６】
上側締付片１の一端部分には下側締付片２に向けて湾曲するストッパー１６が形成されており、このストッパー１６が下側締付片２の一端部に当接して両締付片１，２の開き角度θを９０度以内、好ましくは６０〜７０度程度に規制し得るようになっている。
【００２７】
上側締付片１の上面部における、前記係止片３が係止される領域を外れた箇所には指載せ部としての凹み部１７が形成され、その凹み部１７に指を当てて係止片３の回動操作を行うことで、締付片１と係止片３の間に指を挟むような虞れなく注排水口Ｂ１の締め付け作業を安全に行い得るようになっている。
尚、指載せ部は必ずしも凹み部１７に限定されず、係止片３が係合する領域を外れた箇所であることを認識させ得るものであればよく、例えば印刷や着色などによる表示部、微細な凸片を多数形成した梨地状部とするなど、様々な態様が考えられる。
【００２８】
以上の構成になる本例の水枕用締付具Ａを使用する際は、上下の締付片１，２を開いてその間に水枕Ｂの注排水口Ｂ１を狭入するが、両締付片１，２の開き角度は６０〜７０度程度に規制されるので、片手での操作で容易に注排水口Ｂ１を狭入することができる。両締付片１，２の間に注排水口Ｂ１を狭入した後、係止片３を上側締付片１方向へ回動操作して被係合面６に係合凸部７を弾性係合させ、上側締付片１の上に係止片３を係止させる。このとき、被係合面６と係合凸部７が膨出状の湾曲面であり且つ合成樹脂面であるため、小さな摩擦係数で被係合面６と係合凸部７が摺接しながら弾性係合し、係止片３を小さな力で回動操作して上側締付片１に係止させることができる。また、被係合面６と係合凸部７が係合すると係止片の先端３ａが上側締付片１に当たって「カチ」という音が発生し、使用者に挟み込みが完了したことを認識させることができる。
上側締付片１上に係止片３が係止された状態において、上下の締付片１，２で前記注排水口Ｂ１が挟まれ、該注排水口Ｂ１は上側締付片１の突条９と下側締付片２の凹溝８の間で断面略Ｕ字形に湾曲すると共に、該湾曲部分の外側が、下側凸条１１と受け縁１３の間で逆方向に湾曲し且つ水密状に締め付けられて、水漏れが確実に防止される。
また、水枕Ｂの注排水口Ｂ１に締付具Ａが露出するが、該締付具Ａは合成樹脂製のため、使用者の頸部や頭部にあたっても冷涼感や痛感を与えることがなく、また、薄板金属材等を一切使用していないので、手指などを切るような虞れもない。
また前記したように、係止片３を小さな力で回動操作させて被係合面６と係合凸部７を係合させるので、水枕Ｂに対する取り付け、取り外し作業を簡単に行うことができ便利である。
【００２９】
さらに、図６に示すように、上側締付片１に係止された係止片３の上側に重なってその係止状態を維持するカバー２０を、該締付片１の他端部に摺動自在に装着した場合、係止片３の係止が不用意に解除されることを防止して、注排水口Ｂ１の締め付け状態をより確実に維持し得、信頼性の高い製品とすることができる。
【００３０】
以上、本発明の実施形態例を図面を参照して説明したが、本発明に係る水枕用締付具は図示例に限定されず、特許請求の範囲の各請求項に記載された技術的思想の範疇において種々の変更が可能であることは言うまでもない。
【図面の簡単な説明】
【００３１】
【図１】本発明に係る水枕用締付具の実施形態の一例を示す正面図で、上下の締付片を開いた状態を表す。
【図２】図１における上下の締付片と係止片を閉じた状態の正面図。
【図３】図２の（Ｘ）−（Ｘ）線に沿う拡大断面図。
【図４】（イ）上側締付片の一部省略平面図、（ロ）下側締付片の一部省略平面図。
【図５】水枕への装着状態を示す平面図。
【図６】本発明に係る水枕用締付具の実施形態の他例を示す平面図。
【図７】従来の金属製締付具の正面図。
【図８】従来の金属製締付具の水枕への取り付け状態を示す拡大断面図。
【符号の説明】
【００３２】
Ａ：水枕用締付具
１：上側締付片
２：下側締付片
３：係止片
６：被係合面
７：係合凸部
８：凹溝
９：突条
１０：立壁部
１１：下側凸条
１２：外側凸条
１３：受け縁
１６：ストッパー
１７：凹み部（指載せ部）
２０：カバー
Ｂ：水枕
Ｂ１：注排水口
【図１】
2005255180.tif 000003
【図２】
2005255180.tif 000004
【図３】
2005255180.tif 000005
【図４】
2005255180.tif 000006
【図５】
2005255180.tif 000007
【図６】
2005255180.tif 000008
【図７】
2005255180.tif 000009
【図８】
2005255180.tif 000010